(57)【要約】【課題】低消費電力で、かつ、洗濯物が傷まないような洗濯物乾燥できることを目的とする。【解決手段】外枠２内に、フレーム１２を備え、フレーム１２上に、モータ４を固定する板金製のモータ固定板１３を備え、横流ファン３と、横流ファン３を回転させるモータ４と、風向風速制御装置５とを備えた送風装置１であって、外枠２の上面に室内の空気を吸い込む吸込口６と、外枠２の正面に室内の空気を吸い込んだ空気を吹き出す風向風速制御装置５を備えた吹出口７を設け、風向風速制御装置５により室内の洗濯物８に吸い込んだ空気を吹き当てることにより洗濯物乾燥を行う送風装置であって、モータ４はモータ固定板１３に固定され、モータ固定板１３及びフレーム１２の引掛穴１５を固定金具１４に引っ掛けて設置されることで、設置の自由度が高く、安全性が高い送風装置を提供する。【選択図】図２
2011147689.tif 000002
【特許請求の範囲】
【請求項１】
外枠内に、フレームを備え、前記フレーム上に、モータを固定する板金製のモータ固定板を備え、横流ファンと、前記横流ファンを回転させるモータと、風向風速制御装置とを備え、前記外枠の上面に室内の空気を吸い込む吸込口と、前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を備える送風装置であって、前記送風装置を固定するための固定金具が設置面に備えられ、前記固定金具を前記モータ固定板と前記フレームの引掛穴に引っ掛けられて設置されることを特徴とする送風装置。
【請求項２】
固定金具とフレームの引掛穴を複数備え、固定金具の少なくとも１箇所がモータ固定板に引掛けられることを特徴とする請求項１に記載の送風装置。
【請求項３】
固定金具がねじによって設置面に取り付けられ、前記ねじの頭形状に対して十分に大きい空間を、フレームのねじ頭周囲に備えることを特徴とした請求項１または２に記載の送風装置。
【請求項４】
固定金具を引っ掛けるフレームの引掛穴が左右に長いことを特長とする請求項１〜３のいずれかに記載の送風装置。
【請求項５】
固定金具の先端に仮固定部を備え、前記固定金具を引っ掛けるフレームの引掛穴付近に仮固定部がかん合する仮固定穴を備え、仮固定穴の入口部に勾配を備えることを特徴とした請求項１〜４のいずれかに記載の送風装置。
【請求項６】
フレーム及びモータ固定板を引っ掛ける金具の引掛部の飛び出し寸法に対し、前記引掛部を引っ掛ける部分の寸法が小さく、クリアランスを有することを特徴とした請求項１〜５のいずれかに記載の送風装置。
【請求項７】
固定金具を引っ掛けるフレームの引掛穴が左右に貫通している長穴であることを特徴とした請求項１〜６のいずれかに記載の送風装置。
【請求項８】
固定金具の引掛部の厚みに対し、フレームの引掛穴の寸法が大きく、クリアランスを有することを特徴とした請求項１〜７のいずれかに記載の送風装置。
【請求項９】
モータ等の動作制御を行う電装機器と、電線引込穴をフレームの右端に備えることを特徴とした請求項１〜８のいずれかに記載の送風装置。
【請求項１０】
フレームの引掛穴の前面が開放されていることを特徴とした請求項１〜９のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、排気口を有する本体ケースと、室内の空気を吸い込むための吸込口と、吸い込んだ空気を室内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている。（例えば、特許文献１参照）。また、洗濯物を乾燥させる場合、洗濯物に対して加熱、送風を行うことにより、より短時間で洗濯物が乾燥する。しかし、送風装置の設置の自由度が低く、天井への取り付けのみという課題がある。
【０００３】
以下、従来の送風装置について図５を参照しながら説明する。
【０００４】
図５に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を室内の天井面１１３に設置して乾燥運転を行うと、送風機１０７が運転され、室内内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から室内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、室内につりさげた洗濯物等を乾燥することができる。
【先行技術文献】
【特許文献】
【０００６】
【特許文献１】特開平１０−３２８４９４号公報
【発明の概要】
【発明が解決しようとする課題】
【０００７】
特許文献１に例示されるような従来の送風装置では、設置の自由度が低いという課題がある。
【０００８】
本発明は、このような従来の課題を解決するものであり、壁、天井どちらにも取り付け可能で、設置の自由度が高く、安全性が高い送風装置を提供することを目的とする。
【課題を解決するための手段】
【０００９】
外枠内に、フレームを備え、フレーム上に、モータを固定する板金製のモータ固定板を備え、横流ファンと、横流ファンを回転させるモータと、風向風速制御装置とを備え、外枠の上面に室内の空気を吸い込む吸込口と、吸込口にフィルターを設け、外枠の正面に室内の空気を吸い込んだ空気を吹き出す風向風速制御装置を備えた吹出口を設け、外枠内の吹出口の付近に静電霧化装置を備える送風装置であって、送風装置を固定するための固定金具が設置面に備えられ、固定金具をモータ固定板とフレームの引掛穴に引っ掛けられて設置されることを特徴としたものであり、これにより所期の目的を達成するものである。
【発明の効果】
【００１０】
本発明によれば、固定金具によって壁、天井どちらにも取り付け可能で、かつ、モータ固定板、及び重量物であるモータが固定されているため、送風装置が設置面から外れたとしても、重量物が落下しない構造となっているため、設置の自由度が高く、安全性が高いという効果を得ることができる。
【図面の簡単な説明】
【００１１】
【図１】本発明の実施の形態１の送風装置を示す図（（ａ）簡易側断面図、（ｂ）内部斜視図）
【図２】同送風装置を示す図（（ａ）背面図、（ｂ）設置構造を示す側断面図）
【図３】本発明の実施の形態２の送風装置の背面図
【図４】本発明の実施の形態３の送風装置の背面図
【図５】従来の送風装置を示す断面図
【発明を実施するための形態】
【００１２】
本発明の請求項１記載の送風装置は、外枠内に、フレームを備え、フレーム上に、モータを固定する板金製のモータ固定板を備え、横流ファンと、横流ファンを回転させるモータと、風向風速制御装置とを備え、外枠の上面に室内の空気を吸い込む吸込口と、吸込口にフィルターを設け、外枠の正面に室内の空気を吸い込んだ空気を吹き出す風向風速制御装置を備えた吹出口を設け、外枠内の吹出口の付近に静電霧化装置を備える送風装置であって、送風装置を固定するための固定金具が設置面に備えられ、固定金具をモータ固定板とフレームの引掛穴に引っ掛けられて設置されるという構成を有する。これにより、固定金具によって壁、天井どちらにも取り付け可能で、かつ、モータ固定板、及び重量物であるモータが固定されているため、送風装置が設置面から外れたとしても、重量物が落下しない構造となっているため、設置の自由度が高く、安全性が高いという効果を奏する。
【００１３】
また、固定金具とフレームの引掛穴を複数備え、固定金具の少なくとも１箇所がモータ固定板に引掛けられるという構成にしてもよい。これにより、固定金具によって壁、天井どちらにも取り付け可能で、かつ、少なくとも１箇所でモータ固定板、及び重量物であるモータが固定されているため、送風装置が設置面から外れたとしても、重量物が落下しない構造となっているため、設置の自由度が高く、安全性が高いという効果を奏する。
【００１４】
また、固定金具がねじによって設置面に取り付けられ、前記ねじの頭形状に対して十分に大きい空間を、フレームのねじ頭周囲に備えるという構成にしてもよい。これにより、ねじ頭と本体とのクリアランスが大きくなるので、異なる頭形状のねじを用いても、固定金具を取り付けることができるという効果を奏する。
【００１５】
また、固定金具を引っ掛けるフレームの引掛穴が左右に長いという構成にしてもよい。これにより、引掛穴の左右の幅の範囲内で、任意の位置に本体を設置できるため、ので、設置の自由度が高いという効果を奏する。
【００１６】
また、固定金具の先端に仮固定部を備え、固定金具を引っ掛けるフレームの引掛穴付近に仮固定部がかん合する仮固定穴を備え、仮固定穴の入口部に勾配を備えるという構成にしてもよい。これにより、天井設置時に、自重によって勾配に沿ってフレーム及び送風装置が動くので、正規位置に引寄せることができるという効果を奏する。
【００１７】
また、フレーム及びモータ固定板を引っ掛ける固定金具の引掛部の飛び出し寸法に対し、前記引掛部を引っ掛ける部分の寸法が小さく、クリアランスを有するという構成にしてもよい。これにより、クリアランスの分だけ、ねじ止め前は本体が設置面から浮くので、ねじが取り付けられているかどうかを容易に確認でき、取付不完全を防ぐことができるという効果を奏する。
【００１８】
また、固定金具を引っ掛けるフレームの引掛穴が左右に貫通している長穴であるという構成にしてもよい。これにより、長穴の寸法内であれば、壁面に任意に取り付けられた固定金具に対して設置することができるので、更に設置の自由度が高いという効果を奏する。
【００１９】
また、固定金具の引掛け部の厚みに対し、フレームの引掛穴の寸法が大きく、クリアランスを有するという構成にしてもよい。これにより、クリアランスの分だけ、高さ方向の位置調整を行うことができるので、正確な位置に、きれいに施工することができるという効果を奏する。
【００２０】
また、モータ等の動作制御を行う電装機器及び電線引込穴をフレーム右端に備えることを特徴とするという構成にしてもよい。これにより、右手で電線を電装機器に接続させる作業を行うことができるので、作業性が良いという効果を奏する。
【００２１】
また、フレームの引掛穴の前面が開放されているという構成にしてもよい。これにより、前面から引掛穴が目視でき、固定金具位置に合わせることができるので、作業性が良いという効果を奏する。
【００２２】
以下、本発明の実施の形態について図面を参照しながら説明する。
【００２３】
（実施の形態１）
図１（ａ）は、本発明の送風装置１の簡易側断面図、図１（ｂ）は同送風装置の内部斜視図を示している。
【００２４】
図において、外枠２内に、フレーム１２を備え、フレーム１２上に、モータ４を固定する板金製のモータ固定板１３を備え、横流ファン３と、横流ファン３を回転させるモータ４と、モータ４を固定するモータ固定板１３と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、風向風速制御装置５により室内の洗濯物８に吸い込んだ空気を吹き当てる構成とする。また、図２（ａ）に送風装置１の背面図を示す。送風装置を固定するための固定金具１４を取り付けるための、引掛穴１５を計４箇所備えている。図２（ｂ）に、送風装置の設置構造を示す側断面図を示す。図を用いて送風装置の設置手順及び、固定状態を説明する。設置面に固定金具１４をねじ止めにより固定し、外枠２が取り外された状態で、固定金具１４の引掛部１６に、フレーム１２の引掛穴１５に引っかける。この時、下側の引っ掛け状態を見ると、モータ固定板１３の一部が引掛部１６に引っかかっている状態となっている。固定金具１４に引っ掛けた後、フレーム１２の４隅をねじ止めにより設置面に固定し、最後に外枠２をフレーム１２に取り付けて設置完了となる。ここでは、壁面への設置例を示したが、天井への設置時も固定金具１４の引掛部１６に送風装置１を引っ掛けることで、設置が可能である。
【００２５】
また、固定金具１４がねじによって設置面に取り付けられ、ねじの頭形状に対して十分に大きい空間を、ねじ頭周囲に備える構成となっている。
【００２６】
また、固定金具１４の先端に仮固定部１９を備え、固定金具１４を引っ掛けるフレーム１２の引掛穴１５付近に仮固定部１９がかん合する仮固定穴２０を備え、仮固定穴２０の入口部に勾配を備えている。図２（ｂ）に示すように、勾配部分をフレーム１２に備えている。
【００２７】
また、フレーム１２及びモータ固定板１３を引っ掛ける固定金具１４の引掛部１６の飛び出し寸法に対し、引掛部１６を引っ掛ける部分の寸法が小さく、クリアランスを有する構成となっている。図２（ｂ）に示すように、送風装置１との間に爪の飛び出し方向にクリアランスがあり、この長さの分だけ、送風装置１がクリアランスの方向へ動くこととなる。
【００２８】
また、固定金具の引掛部１６の厚みに対し、フレームの引掛穴１５の寸法が大きく、クリアランスを有する構成となっている。図２（ｂ）に示すように、送風装置１との間に高さ方向のクリアランスがあり、この長さの分だけ、送風装置１がクリアランスの方向へ動くこととなる。
【００２９】
また、図１（ａ）に示すように、モータ４等の動作制御を行う電装機器ＢＯＸ１７と、電線引込穴１８を右端に備える構成となっている。
【００３０】
また、フレーム１２の引掛部の前面が開放されている構成となっている。
【００３１】
上記構成により、モータ４で横流ファン３を回転させることにより、外枠２の上面の吸込口６からフィルター１０を通して室内の空気を吸い込み、吸い込んだ空気を外枠２の正面すなわち室内側に設けた風向風速制御装置５を備えた吹出口７から室内へ吹き出し、風向風速制御装置５により室内の洗濯物８に吸い込んだ空気を吹き当てる。このとき、洗濯物８表面の水分の剥離や、洗濯物８周辺の湿気を吹き飛ばす効果により、洗濯物８を乾燥させることができる。
【００３２】
このように本発明の実施の形態１の送風装置１によれば、固定金具１４によって壁、天井どちらにも取り付け可能で、かつ、モータ固定板１３、及び重量物であるモータ４が固定されているため、送風装置１が設置面から外れたとしても、重量物が落下しない構造となっている。図２（ｂ）に示したように、固定金具１４にモータ固定板１３が引っ掛けられている状態であり、例えば、フレーム１２、外枠２等が樹脂製で、これらの軽量物が破損したとしても、重量物であるモータ固定板１３及びモータ４は落下しない構造となっており、安全性が高い構造となっている。
【００３３】
また、ねじ頭の周囲のクリアランスが大きい構造となるため、異なる頭形状のねじを用いても、固定金具１４を取り付けることができることとなる。
【００３４】
また、天井設置時に、自重によって、勾配部分に沿ってフレーム１２及び送風装置が動く構造となるため、正規位置に引寄せることができることとなる。
【００３５】
また、クリアランスの分だけ、ねじ止め前は送風装置１が設置面から浮くため、ねじが取り付けられているかどうかを容易に確認でき、取付不完全を防ぐことができることとなる。
【００３６】
また、クリアランスの分だけ、高さ方向の位置調整を行うことができ、正確な位置に、きれいに施工することができることとなる。
【００３７】
また、電装機器ＢＯＸ１７と、電線引込穴１８を右端に備えることで、右手で電線を電装機器ＢＯＸ１７に接続させる作業を行うことができるため、作業性が良いこととなる。
【００３８】
また、外枠２が外れた状態で、本体を固定金具１４に引っかけ固定する時、前面から引掛穴１５が目視でき、固定金具１４位置に合わせることができるため、作業性が良いこととなる。
【００３９】
（実施の形態２）
図３において、図１および図２と同様の構成要素については同一の符号を付し、その詳細な説明は省略する。
【００４０】
図３は本発明の実施の形態２の送風装置１の背面図を示し、固定金具１４を引っ掛けるフレーム１２の引掛穴１５が左右に長い横長の形状を持つ構成となっている。
【００４１】
上記構成において、横長の引掛穴１５の左右の幅の範囲内で、任意の位置に送風装置１を設置できることとなるため、設置の自由度が高くなる。
【００４２】
（実施の形態３）
図４において、図１および図２と同様の構成要素については同一の符号を付し、その詳細な説明は省略する。
【００４３】
図４は本発明の実施の形態３の送風装置１の背面図を示し、固定金具１４を引っ掛けるフレーム１２の引掛穴１５が左右に長く、かつ、左右方向に貫通しており、長いスリット上の穴が２ライン備えられている構成となっている。
【００４４】
上記構成において、長穴の寸法内であれば、壁面に任意な間隔及び位置に取り付けられた固定金具１４に対して送風装置１を引っかけ設置することができ、更に設置の自由度が高くなる。
【産業上の利用可能性】
【００４５】
本発明の送風装置は、室内に吊るした大量の洗濯物等に対して乾燥時間を短縮し、乾燥むらを防止する効果を有することから、洗濯乾燥室や、サウナ、サンルーム等にも適用することができる。
【符号の説明】
【００４６】
１    送風装置
２    外枠
３    横流ファン
４    モータ
５    風向風速制御装置
６    吸込口
７    吹出口
８    洗濯物
９    設置面
１０  フィルター
１１  静電霧化装置
１２  フレーム
１３  モータ固定板
１４  固定金具
１５  引掛穴
１６  引掛部
１７  電装機器ＢＯＸ
１８  電線引込穴
１９  仮固定部
２０  仮固定穴
【図１】
2011147689.tif 000003
【図２】
2011147689.tif 000004
【図３】
2011147689.tif 000005
【図４】
2011147689.tif 000006
【図５】
2011147689.tif 000007